(57)【要約】【課題】開閉体の組立作業性の向上を図ることができる外れ防止具を提供する。【解決手段】外れ防止具41は、シャッタカーテンのリンク部11aのリンク連結軸の軸方向両端部にそれぞれ嵌着した消音部材21が外れることを防止する。外れ防止具41は、防止具本体42を備える。防止具本体42の一方側には、リンク連結軸の軸方向一端部に嵌着した消音部材21を保持する一方側保持体43を設ける。防止具本体42の他方側には、リンク連結軸の軸方向他端部に嵌着した消音部材21を保持する他方側保持体44を設ける。一方側保持体43および他方側保持体44の各々は、消音部材21の外周面に嵌合する嵌合部46と、消音部材21の外端面と当接する当接部48とを有する。【選択図】図６
2010116666.tif 000002
【特許請求の範囲】
【請求項１】
開閉体のリンク部のリンク連結軸の軸方向両端部にそれぞれ嵌着された消音部材が外れることを防止する外れ防止具であって、
防止具本体と、
この防止具本体の一方側に設けられ、前記リンク連結軸の軸方向一端部に嵌着された前記消音部材を保持する一方側保持体と、
前記防止具本体の他方側に設けられ、前記リンク連結軸の軸方向他端部に嵌着された前記消音部材を保持する他方側保持体と
を備えることを特徴とする外れ防止具。
【請求項２】
一方側保持体および他方側保持体の各々は、
消音部材の外周面に嵌脱可能に嵌合される嵌合部と、
前記消音部材の外端面と当接する当接部とを有する
ことを特徴とする請求項１記載の外れ防止具。
【請求項３】
防止具本体は、一のリンクが他のリンクに対してリンク連結軸を中心として回動することを規制する回動規制部を有する
ことを特徴とする請求項１または２記載の外れ防止具。
【請求項４】
防止具本体は、回動規制部から突出する摘み部を有する
ことを特徴とする請求項３記載の外れ防止具。
【請求項５】
開閉体のリンク部のリンク連結軸の軸方向両端部に消音部材をそれぞれ嵌着する工程と、
前記リンク連結軸の軸方向両端部にそれぞれ嵌着された前記消音部材が外れないように、外れ防止具を前記消音部材に対して取り付ける工程と、
前記リンク部を前記外れ防止具が取り付けられた状態で保管場所に保管する工程と、
前記保管場所から前記リンク部を移動させた後、前記外れ防止具を取り外す工程と、
前記開閉体の一のリンク部の前記消音部材に化粧パイプの軸方向一端部を取り付けるとともに、前記開閉体の他のリンク部の前記消音部材に前記化粧パイプの軸方向他端部を取り付ける工程と、
前記取り付けられた化粧パイプ内に芯パイプを挿通する工程と
を備えることを特徴とする開閉体の組立方法。
【発明の詳細な説明】
【技術分野】
【０００１】
本発明は、消音部材が外れることを防止する外れ防止具および開閉体の組立方法に関するものである。
【背景技術】
【０００２】
従来、例えば下記の特許文献１に記載された開閉装置であるグリルシャッタが知られている。
【０００３】
このグリルシャッタは、開口部を開閉する略格子状の開閉体であるシャッタカーテンを備えている。このシャッタカーテンは、開口部の閉鎖時に左右方向に間隔をおいて並ぶ上下方向長手状の複数のリンク部（リンク列）と、これら複数のリンク部を介して連結され芯パイプおよび化粧パイプにて構成され開口部の閉鎖時に上下方向に間隔をおいて並ぶ左右方向長手状の複数のパイプ部とを有している。
【０００４】
また、各リンク部は、左右方向のリンク連結軸を介して互いに回動可能に連結された複数のリンクを有し、各リンク連結軸の軸方向両端部には合成樹脂製の消音部材（消音カラー）が嵌着されている。そして、左右に隣り合うリンク部のうちの一方のリンク部の消音部材と左右に隣り合うリンク部のうちの他方のリンク部の消音部材との間に、パイプ部の化粧パイプが架設されている。
【特許文献１】特開２００６−１１８３０９号公報（図１、図３等）
【発明の開示】
【発明が解決しようとする課題】
【０００５】
ところで、上記従来のシャッタカーテンのリンク部（リンク列）は、リンク連結軸の軸方向両端部に消音部材が嵌着された状態でユニット部品として管理保管されるが、シャッタカーテンの静音性確保のために消音部材とリンク連結軸との嵌合を緩くする必要があるため、消音部材がリンク連結軸から外れてしまうことがある。
【０００６】
このため、例えばシャッタカーテンの組立時等に、リンク連結軸から外れないように消音部材を手で押えなければならず、組立作業に手間取るおそれがある。
【０００７】
本発明は、このような点に鑑みなされたもので、開閉体の組立作業性の向上を図ることができる外れ防止具および開閉体の組立方法を提供することを目的とする。
【課題を解決するための手段】
【０００８】
請求項１記載の外れ防止具は、開閉体のリンク部のリンク連結軸の軸方向両端部にそれぞれ嵌着された消音部材が外れることを防止する外れ防止具であって、防止具本体と、この防止具本体の一方側に設けられ、前記リンク連結軸の軸方向一端部に嵌着された前記消音部材を保持する一方側保持体と、前記防止具本体の他方側に設けられ、前記リンク連結軸の軸方向他端部に嵌着された前記消音部材を保持する他方側保持体と備えるものである。
【０００９】
請求項２記載の外れ防止具は、請求項１記載の外れ防止具において、一方側保持体および他方側保持体の各々は、消音部材の外周面に嵌脱可能に嵌合される嵌合部と、前記消音部材の外端面と当接する当接部とを有するものである。
【００１０】
請求項３記載の外れ防止具は、請求項１または２記載の外れ防止具において、防止具本体は、一のリンクが他のリンクに対してリンク連結軸を中心として回動することを規制する回動規制部を有するものである。
【００１１】
請求項４記載の外れ防止具は、請求項３記載の外れ防止具において、防止具本体は、回動規制部から突出する摘み部を有するものである。
【００１２】
請求項５記載の開閉体の組立方法は、開閉体のリンク部のリンク連結軸の軸方向両端部に消音部材をそれぞれ嵌着する工程と、前記リンク連結軸の軸方向両端部にそれぞれ嵌着された前記消音部材が外れないように、外れ防止具を前記消音部材に対して取り付ける工程と、前記リンク部を前記外れ防止具が取り付けられた状態で保管場所に保管する工程と、前記保管場所から前記リンク部を移動させた後、前記外れ防止具を取り外す工程と、前記開閉体の一のリンク部の前記消音部材に化粧パイプの軸方向一端部を取り付けるとともに、前記開閉体の他のリンク部の前記消音部材に前記化粧パイプの軸方向他端部を取り付ける工程と、前記取り付けられた化粧パイプ内に芯パイプを挿通する工程とを備えるものである。
【発明の効果】
【００１３】
請求項１に係る発明によれば、一方側保持体にてリンク連結軸の軸方向一端側に嵌着された消音部材を保持でき、他方側保持体にてリンク連結軸の軸方向他端側に嵌着された消音部材を保持できるため、消音部材がリンク連結軸から外れることを防止でき、開閉体の組立作業性の向上を図ることができる。
【００１４】
請求項２に係る発明によれば、一方側保持体および他方側保持体の各々は消音部材の外周面に嵌脱可能に嵌合される嵌合部と消音部材の外端面と当接する当接部とを有するため、消音部材がリンク連結軸から外れることを効果的に防止できる。
【００１５】
請求項３に係る発明によれば、防止具本体は一のリンクが他のリンクに対してリンク連結軸を中心として回動することを規制する回動規制部を有するため、一のリンクが他のリンクに対して回動することがなく、開閉体の組立作業性の向上をより一層図ることができる。
【００１６】
請求項４に係る発明によれば、防止具本体は回動規制部から突出する摘み部を有するため、摘み部を摘むことで取り扱いが容易となり、開閉体の組立作業性の向上をより一層図ることができる。
【００１７】
請求項５に係る発明によれば、各工程を経て開閉体を組み立てることにより、開閉体の組立作業性の向上を図ることができる。
【発明を実施するための最良の形態】
【００１８】
本発明の一実施の形態を図面を参照して説明する。
【００１９】
図１において、１は開口部２を開閉する開閉装置であるグリルシャッタで、このグリルシャッタ１は、例えばショーウィンドーや駐車出入り口等に設けられ開口部２の閉鎖時に透視性のあるシャッタ装置である。
【００２０】
グリルシャッタ１は、図１ないし図３に示されるように、開口部２を開閉する略格子状の昇降可能な開閉体であるシャッタカーテン３を備え、シャッタカーテン３の上端部が吊り元部４を介して巻取ドラム５に取り付けられ、シャッタカーテン３の下端部には座板６が取り付けられている。
【００２１】
巻取ドラム５は、モータ等にて構成された開閉機（図示せず）の作動により回転可能であり、巻取ドラム５の巻取方向への回転によりシャッタカーテン３が巻き取られながら上昇して開口部２が開口し、巻取ドラム５の巻戻方向への回転によりシャッタカーテン３が巻き戻されながら下降して開口部２が閉鎖される。
【００２２】
シャッタカーテン３は、開口部２の閉鎖時に左右方向に間隔をおいて平行に並ぶ上下方向長手状の複数のリンク部（リンク列）11a，11bと、これら複数のリンク部11a，11bを介して連結され開口部２の閉鎖時に上下方向に間隔をおいて並ぶ左右方向長手状の複数のパイプ部12とを有している。
【００２３】
各リンク部11aは、左右方向に軸方向を有する略円筒状で合成樹脂製のリンク連結軸（リンクカラー）13を介して互いに回動可能に連結された複数のリンク14a，14bを有している。なお、リンク部11aの数およびリンク14a，14bの数は、開口部２の大きさに応じて適宜設定される。
【００２４】
ここで、図３に示されるように、リンク連結軸13を介して互いに回動可能に連結され上下に隣り合うリンク14a，14bのうちの一方のリンク（図３中、上側のリンク）14aは間隙15を介して互いに離間対向する２枚のリンクプレート16にて構成され、上下に隣り合うリンク14a，14bのうちの他方のリンク（図３中、下側のリンク）14bは互いに重なり合った２枚のリンクプレート16にて構成されている。
【００２５】
各リンクプレート16は、両端縁が円弧状をなす略矩形板状のもので、長手方向両端部には略円形状の孔部17が形成されている。そして、互いに対向するリンク14aのリンクプレート16の孔部17およびリンク14bのリンクプレート16の孔部17に左右方向のリンク連結軸13が挿通され、このリンク連結軸13の軸方向両端部（左右方向両端部）がリンク14aのリンクプレート16の外側面から突出している。
【００２６】
リンク14aのリンクプレート16の内側面とリンク14bのリンクプレート16の外側面との間には潤滑性を有する非金属材料、すなわち例えば合成樹脂製の略円環状の消音部材（消音カラー）19が設けられ、この各消音部材19の内周面がリンク連結軸13の外周面に嵌合されている。
【００２７】
また、リンク連結軸13のうち、リンク14aのリンクプレート16の外側面から突出した突出部分である軸方向両端部には、潤滑性を有する非金属材料、すなわち例えば合成樹脂製の略円筒状の消音部材（消音カラー）21が嵌着されている。なお、シャッタカーテン３の静音性確保の観点から、消音部材21とリンク連結軸13との嵌合は比較的緩くなっている。
【００２８】
各消音部材21は、略円筒状の径大部22と、内径および外径が径大部22の内径および外径よりも小さい略円筒状の径小部23とにて構成されている。径大部22の内周面がリンク連結軸13の外周面に嵌合され、径小部23の内端面がリンク連結軸13の端面に当接している。
【００２９】
そして、左右に隣り合うリンク部11aのうちの一方のリンク部11aの消音部材21と左右に隣り合うリンク部11aのうちの他方のリンク部11aの消音部材21との間に、パイプ部12の化粧パイプ31が架設されている。また同様に、シャッタカーテン３の側端部に位置するリンク部11bの消音部材21とこのリンク部11bと隣り合うリンク部11aの消音部材21との間に、パイプ部12の化粧パイプ31が架設されている。
【００３０】
化粧パイプ31は、軸方向長さ寸法が隣り合うリンク部間の距離と略同じ略円筒状のもので、化粧パイプ31の軸方向一端部の内周面が対応する側の消音部材21の径小部23の外周面に嵌合され、化粧パイプ31の軸方向他端部の内周面が対応する側の消音部材21の径小部23の外周面に嵌合されている。
【００３１】
そして、化粧パイプ31内、消音部材21内およびリンク連結軸13内には、芯パイプ32が挿通されている。芯パイプ32は、軸方向長さ寸法が開口部２の幅寸法と略同じ略円筒状のもので、芯パイプ32の軸方向一端部は対応する側のリンク部11bのリンクプレート16から突出し、この突出部分に抜止め用の割りピン33が挿入され、同様に、芯パイプ32の軸方向他端部は対応する側のリンク部11bのリンクプレート16から突出し、この突出部分に抜止め用の割りピン33が挿入されている。なお、１本の芯パイプ32およびこの芯パイプ32が挿通された複数本の化粧パイプ31にて、各パイプ部12が構成されている。
【００３２】
また、図４ないし図６には、シャッタカーテン３のリンク部11aのリンク連結軸13の軸方向両端部にそれぞれ嵌着された２つの消音部材21が外れることを防止する専用治具である外れ防止具41が示されている。
【００３３】
外れ防止具41は、例えばポリプロピレン等の合成樹脂で一体に形成されたもので、防止具本体42と、防止具本体42の左右方向一方側に一体に設けられリンク連結軸13の軸方向一端部に嵌着された消音部材21を保持する弾性変形可能な一方側保持体43と、防止具本体42の左右方向他方側に一体に設けられリンク連結軸13の軸方向他端部に嵌着された消音部材21を保持する弾性変形可能な他方側保持体44とを備えている。なお、一方側保持体43と他方側保持体44とは左右対称形状で、いずれも前方に向って開口する略Ｃ字状に形成されている。
【００３４】
これら互いに離間対向する左右一対の一方側保持体43および他方側保持体44の各々は、内面が消音部材21の径大部22の外周面に嵌脱可能に嵌合される略Ｃ字状の板状の嵌合部46を有している。嵌合部46の互いに離間対向する２つの先端部である前端部には、突出板部47が嵌合部46の径方向外方に向って一体に突設されている。また、嵌合部46の内面における外縁部には、消音部材21の径大部22の軸方向外端面（軸方向端面）との当接により消音部材21の軸方向に沿った外方への移動を規制する略Ｃ字状の凸状の当接部48が嵌合部46の径方向内方に向って一体に突設されている。なお、互いに離間対向する保持体43，44の各内端面である対向面が、リンク14aのリンクプレート16の外側面に当接する当接面49となっている。
【００３５】
また、防止具本体42は、一のリンク14aがこの一のリンク14aと隣り合う他のリンク14bに対してリンク連結軸13を中心として回動することを規制する略矩形板状で略鉛直状の回動規制部51と、この回動規制部51の上下方向中央部から後方に向って突出する略矩形板状で略水平状の摘み部52とを有している。回動規制部51の前面の左右方向両端部から保持体43，44が前方に向って突出している。
【００３６】
次に、図７ないし図１４を参照しつつ、シャッタカーテン３の組立方法について説明する。
【００３７】
まず、図７に示すように、リンクプレート16の孔部17にリンク連結軸13を嵌入により挿通する。
【００３８】
次いで、図８に示すように、リンク連結軸13の軸方向両端部の外周面に消音部材19の内周面を嵌合した後、リンクプレート16の孔部17にリンク連結軸13の軸方向端部を嵌入により挿通し、各消音部材19を内側のリンクプレート16と外側のリンクプレート16とにて挟持させる。
【００３９】
続いて、図９および図１０に示すように、リンク部11aのリンク連結軸13の軸方向両端部の外周面に消音部材21の径大部22の内周面を嵌合しかつ径小部23の内端面をリンク連結軸13の端面に当接させることにより、リンク部11aのリンク連結軸13の軸方向両端部に消音部材21をそれぞれ嵌着する。
【００４０】
次いで、図１１に示すように、リンク部11aのリンク連結軸13の軸方向両端部にそれぞれ嵌着された消音部材21がリンク連結軸13から外れないように、外れ防止具41をリンク連結軸13の軸方向両端側の２つの消音部材21に対してこれら２つの消音部材21に跨るように脱着可能に取り付ける。
【００４１】
すなわち、図１２に示すように、作業者は、摘み部52を摘んで外れ防止具41を持ち、消音部材21に向けて前方に移動させる。
【００４２】
すると、一方側保持体43および他方保持体44は、２つの突出板部47と径大部22の外周面との当接により両突出板部47が互いに離反するように一旦弾性変形した後、弾性復元力によって元の形状に復帰し、その結果、嵌合部46が径大部22の外周面に嵌合されるとともに当接部48が径大部22の軸方向外端面と当接しかつ当接面49がリンクプレート16の外側面に当接した状態となる。
【００４３】
つまり各外れ防止具41にて、対応する２つの消音部材21がリンク連結軸13から外れないように同時に保持される。なお、全部の消音部材21をリンク連結軸13に嵌着した後に、各外れ防止具41を２つの消音部材21に対して順次取り付るようにしてよく、また消音部材21を２つ嵌着するたびに、それら２つの消音部材21に対して外れ防止具41を取り付けるようにしてもよい。
【００４４】
そして、各リンク部11aは、外れ防止具41が取り付けられた状態のまま、工場内においてユニット部品として管理され、所定の保管場所に一時保管される。
【００４５】
その後、作業者は、工場内の保管場所から所望位置までリンク部11aを移動させた後、例えば現場の開口部２の大きさ等に応じてリンク部11aの長さ調整等を行なう。
【００４６】
次いで、図１３に示すように、外れ防止具41を消音部材21から取り外し、その後、一のリンク部11aの消音部材21の径小部23の外周面に化粧パイプ31の軸方向一端部を嵌合により取り付けるとともに、一のリンク部11aと隣り合う他のリンク部11aの消音部材21の径小部23の外周面に化粧パイプ31の軸方向他端部を嵌合により取り付ける。
【００４７】
次いで、図１４に示すように、芯パイプ32を化粧パイプ31内、消音部材21内およびリンク連結軸13内に挿通し、芯パイプ32の軸方向端部に割りピン33を挿入する等して、シャッタカーテン３の組立作業を完了し、図２に示すシャッタカーテン３を得る。
【００４８】
そして、上記一実施の形態によれば、一方側保持体43にてリンク連結軸13の軸方向一端側に嵌着された消音部材21を保持でき、他方側保持体44にてリンク連結軸13の軸方向他端側に嵌着された消音部材21を保持できるため、消音部材21がリンク連結軸13から不用意に外れることがなく、シャッタカーテン３の組立作業性の向上を図ることができ、また工場内でのユニット部品としてのリンク部11aの保管も容易となる。
【００４９】
また、一方側保持体43および他方側保持体44の各々は消音部材21の外周面に嵌脱可能に嵌合される弾性変形可能な略Ｃ字状の嵌合部46と消音部材21の軸方向外端面と当接する当接部48とを有するため、消音部材21がリンク連結軸13から外れることを効果的に防止できる。
【００５０】
さらに、防止具本体42は一のリンク14aが他のリンク14bに対してリンク連結軸13を中心として回動することを規制する回動規制部51と、この回動規制部51から突出する摘み部52とを有するため、開閉体の組立作業性の向上をより一層図ることができる。
【００５１】
なお、外れ防止具41は、防止具本体42の両側に略Ｃ字状の保持体43，44が設けられた構成には限定されず、例えば板状の防止具本体の一端部にこの防止具本体に対して直交状に設けられ消音部材の外端面に当接して消音部材を保持する板状の一方側保持体と、板状の防止具本体の他端部にこの防止具本体に対して直交状に設けられ消音部材の外端面に当接して消音部材を保持する板状の他方側保持体とを備えた構成等でもよい。
【００５２】
また、外れ防止具41は、一方側保持体43と他方側保持体44とが、上記実施の形態のように一体的に備わる構成であれば、回動規制部51および／または摘み部52は省略することも可能である。
【００５３】
さらに、外れ防止具41を消音部材21から取り外した後、化粧パイプ31を左右に隣り合うリンク部11aの両消音部材21間に取り付ける場合について説明したが、例えば化粧パイプ31を隣り合うリンク部11a間に取り付けた後、外れ防止具41を消音部材21から取り外すようにしてもよい。
【００５４】
また、開閉体はグリルシャッタ１のシャッタカーテン３には限られず、リンク連結軸の軸方向両端部に消音部材を嵌着する他の種類の開閉体であってもよい。
【図面の簡単な説明】
【００５５】
【図１】本発明の一実施の形態に係る組立方法で組み立てたシャッタカーテンを備えたグリルシャッタの概略側面図である。
【図２】同上シャッタカーテンの正面図である。
【図３】同上シャッタカーテンの部分断面図である。
【図４】同上組立方法に用いる外れ防止具の斜視図である。
【図５】同上外れ防止具の斜視図である。
【図６】同上外れ防止具で消音部材を保持した状態を示す斜視図である。
【図７】同上組立方法の手順を示す説明図である。
【図８】図７に続く説明図である。
【図９】図８に続く説明図である。
【図１０】図９に続く説明図である。
【図１１】図１０に続く説明図である。
【図１２】同上外れ防止具の保持体の弾性変形状態を示す側面図である。
【図１３】図１１に続く説明図である。
【図１４】図１３に続く説明図である。
【符号の説明】
【００５６】
３    開閉体であるシャッタカーテン
11a    リンク部
13    リンク連結軸
14a，14b    リンク
21    消音部材
31    化粧パイプ
32    芯パイプ
41    外れ防止具
42    防止具本体
43    一方側保持体
44    他方側保持体
46    嵌合部
48    当接部
51    回動規制部
52    摘み部
【図１】
2010116666.tif 000003
【図２】
2010116666.tif 000004
【図３】
2010116666.tif 000005
【図４】
2010116666.tif 000006
【図５】
2010116666.tif 000007
【図６】
2010116666.tif 000008
【図７】
2010116666.tif 000009
【図８】
2010116666.tif 000010
【図９】
2010116666.tif 000011
【図１０】
2010116666.tif 000012
【図１１】
2010116666.tif 000013
【図１２】
2010116666.tif 000014
【図１３】
2010116666.tif 000015
【図１４】
2010116666.tif 000016